(57)【特許請求の範囲】
【請求項１】
インターネット標準プロトコルを実行するプロトコル実行手段と、インターネットのプロバイダーに接続する接続手段と、公衆通信網を使用して発呼する発呼手段と、公衆通信網を使用して情報を通信する通信手段とを有するデータ通信装置において、
各宛先に対応してインターネットの宛先、および、公衆通信網を使用した宛先を登録する登録手段と；
送信機側において１つの情報文を通信する場合に、インターネットを介した通信による情報送信か公衆通信網を介した通信による情報送信かを指定する指定手段と；
受信機側においてインターネットを介した通信による情報または公衆通信網を介した通信による情報をともに受信終了後、これらの文章を結合して記憶しておく記憶手段と；
公衆通信網を介した通信を実行した場合に、その通信の終了後にインターネットを介した通信の実行があるか否かを通知する第１の通知手段と；
インターネットを介した通信を実行した場合に、その通信の終了後に公衆通信網を介した通信の実行があるか否かを通知する第２の通知手段と；
を有することを特徴とするデータ通信装置。
【請求項２】
請求項１において、
公衆通信網を介した通信、あるいは、インターネットを介した通信を選択する選択手段を有し、送信機側において、前記選択手段により通信網を選択し、同一情報文に対して同一の文書番号を付加することを特徴とするデータ通信装置。
【請求項３】
インターネット標準プロトコルを実行するプロトコル実行手段と、インターネットのプロバイダーに接続する接続手段と、公衆通信網を使用して発呼する発呼手段と、公衆通信網を使用して情報を通信する通信手段とを有するデータ通信装置において、
各宛先に対応してインターネットの宛先、および、公衆通信網を使用した宛先を登録する登録手段と；
送信機側において１つの情報文を通信する場合に、インターネットを介した通信による情報送信か公衆通信網を介した通信による情報送信かを指定する指定手段と；
受信機側においてインターネットを介した通信による情報または公衆通信網を介した通信による情報をともに受信終了後、これらの文章を結合して記憶しておく記憶手段と；
を有し、
公衆通信網を介した通信と、インターネットを介した通信とが１つの情報文の通信において実行された場合、受信機側においては、連続した情報として記録媒体に出力することを特徴とするデータ通信装置。
【請求項４】
請求項３において、
公衆通信網を介した通信、あるいは、インターネットを介した通信を選択する選択手段を有し、送信機側において、前記選択手段により通信網を選択し、同一情報文に対して同一の文書番号を付加することを特徴とするデータ通信装置。
【請求項５】
請求項１または請求項２において、
公衆通信網を介した通信と、インターネットを介した通信とが１つの情報文の通信において実行された場合、受信機側においては、連続した情報として記録媒体に出力することを特徴とするデータ通信装置。
【請求項６】
インターネット標準プロトコルを有するデータ通信装置において、
通信モードを設定する設定手段を有し、設定された通信モードにより、ＩＴＵ−Ｔ勧告に基づいたファクシミリ通信を実行するか、インターネット標準プロトコルに基づいたデータ通信を実行するかを決定し、
前記設定手段において親展通信が選択されている場合には、ＩＴＵ−Ｔ勧告に基づいたファクシミリ通信を実行し、親展通信が選択されていない場合には、インターネット標準プロトコルに基づいたデータ通信を実行することを特徴とするデータ通信装置。
【請求項７】
インターネット標準プロトコルを有するデータ通信装置において、
通信モードを設定する設定手段を有し、設定された通信モードにより、ＩＴＵ−Ｔ勧告に基づいたファクシミリ通信を実行するか、インターネット標準プロトコルに基づいたデータ通信を実行するかを決定し、
前記設定手段において緊急通信が選択されている場合には、ＩＴＵ−Ｔ勧告に基づいたファクシミリ通信を実行し、緊急通信が選択されていない場合には、インターネット標準プロトコルに基づいたデータ通信を実行することを特徴とするデータ通信装置。
【請求項８】
送信した情報を相手受信機が確認したか否かを検出する手段を有する通信装置において、
特定モードでの送信が選択された場合に、まず、送信すべき情報以外の情報を送信し、所定条件にて相手受信機の確認信号を検出できれば、送信すべき情報の送信を行い、所定条件にて相手受信機の確認信号を検出できなければ、受信機のオペレータが不在のため送信しない旨のメッセージを出力し、送信すべき情報の送信は行わず、
前記所定条件として所定時間以内とすることを特徴とする通信装置。
【請求項９】
請求項８において、
ＩＴＵ−Ｔ勧告に基づいたファクシミリ通信を実行することを特徴とする通信装置。
【請求項１０】
送信した情報を相手受信機が確認したか否かを検出する手段を有する通信装置において、
特定モードでの送信が選択された場合に、まず、送信すべき情報以外の情報を送信し、所定条件にて相手受信機の確認信号を検出できれば、送信すべき情報の送信を行い、所定条件にて相手受信機の確認信号を検出できなければ、受信機のオペレータが不在のため送信しない旨のメッセージを出力し、送信すべき情報の送信は行わず、
インターネット標準プロトコルを使用したデータ通信を実行することを特徴とする通信装置。
【請求項１１】
請求項８において、
インターネット標準プロトコルを使用したデータ通信を実行することを特徴とする通信装置。
【請求項１２】
請求項１０において、
上記特定モードとして親展通信としたことを特徴とする通信装置。
【発明の詳細な説明】
【０００１】
【発明の属する技術分野】
本発明は、特にインターネットを介してファクシミリ通信可能なファクシミリ装置等のデータ通信装置に関するものである。
【０００２】
【従来の技術】
従来より、この種のファクシミリ装置においては、公衆通信網への発呼が選択されると、ＤＴＭＦ信号あるいは直流インパルス信号により、交換機に選択信号を出力し、公衆通信網を使用して相手ファクシミリ端末と呼接続を行い、その後、ファクシミリ通信を実行していた。
【０００３】
一方、インターネットを介した通信の宛先が入力されると、この宛先に対して専用線ＩＰ接続をする。その後、ＴＣＰ−ＩＰプロトコルにより、ファクシミリ情報をＴＩＦＦフォーマットに変換し、ＭＩＮＥに従ってファクシミリ送信を行う。
【０００４】
【発明が解決しようとする課題】
以上のように、従来のファクシミリ装置では、インターネットを介した通信と公衆通信網を介した通信とが完全に独立していた。
【０００５】
ここで、公衆通信網を介したファクシミリ通信は、通信コストは高いが、機密性、確実性、リアルタイム性に優れているものである。一方、インターネットを介したファクシミリ通信は、機密性、確実性、リアルタイム性は悪いが、通信コストは安いものである。このため、従来の装置では、ユーザが両方の長所を有効に活用できていないというのが実情である。
【０００６】
また、上述のように従来のファクシミリ装置においては、ファクシミリ通信を実行するかインターネット通信を実行するかは、オペレータの選択によって決定される。しかし、将来的にはファクシミリ通信機能とインターネット通信機能とを併せもつ装置が普及することが予想され、ごく一般的な使用においてファクシミリ通信とインターネット通信とを日常的に選択する機会が増した場合、いちいちオペレータが選択したのでは、作業負担が増大するという問題がある。
【０００７】
そこで本発明は、インターネットを介した通信と公衆通信網を介した通信とを有効に選択して実行できるデータ通信装置を提供することを目的とする。
【００１０】
【課題を解決するための手段】
また、請求項１、２記載の発明は、公衆通信網を介した通信を実行した場合に、その通信の終了後にインターネットを介した通信の実行があるか否かを通知する第１の通知手段と、インターネットを介した通信を実行した場合に、その通信の終了後に公衆通信網を介した通信の実行があるか否かを通知する第２の通知手段とを有することを特徴とする。これにより、例えば１つの文章について、インターネットを介した通信、公衆通信網を介した通信、インターネットを介した通信と、２回以上の網を切り替えて伝送することも可能になり、ダイレクト送信も可能になる。
【００１１】
また、請求項３、４、５記載の発明は、公衆通信網を介した通信と、インターネットを介した通信とが１つの情報文の通信において実行された場合、受信機側においては、連続した情報として記録媒体に出力することを特徴とする。これにより、受信機側のオペレータは、使用した網を意識せずに１つの文章情報としてプリントアウトされたものを手にできるので、不都合なく、通信コストが安く、かつ、機密性に優れた通信が可能になる。
【００１３】
また、請求項６記載の発明は、通信モードを設定する設定手段において親展通信が選択されている場合には、ＩＴＵ−Ｔ勧告に基づいたファクシミリ通信を実行し、親展通信が選択されていない場合には、インターネット標準プロトコルに基づいたデータ通信を実行することを特徴とする。これにより、機密性を確保する要求の高い親展通信の場合には、通信の機密性、通信の確実性を優先してＧ３等に基づいたファクシミリ通信を行い、一方、機密性を確保する要求の低い親展通信でない場合には、インターネット標準プロトコルに基づいたデータ通信を行い、通信コストの低減を優先する。
【００１４】
また、請求項７記載の発明は、通信モードを設定する設定手段において緊急通信が選択されている場合には、ＩＴＵ−Ｔ勧告に基づいたファクシミリ通信を実行し、緊急通信が選択されていない場合には、インターネット標準プロトコルに基づいたデータ通信を実行することを特徴とする。これにより、緊急性の高い通信の場合には、リアルタイムな通信を優先してＧ３等に基づく通信を行い、一方、緊急性の低い通信の場合には、インターネット標準プロトコルに基づいたデータ通信を行い、通信コストの低減を優先できる。
【００１６】
また、請求項８記載の発明は、送信した情報を相手受信機が確認したか否かを検出する手段を有する通信装置において、特定モードでの送信が選択された場合に、まず、送信すべき情報以外の情報を送信し、所定条件によって相手受信機の確認信号を検出できれば、送信すべき情報を送信し、所定条件によって相手受信機の確認信号を検出できなければ、受信機のオペレータが不在のため送信しない旨のメッセージを出力し、送信すべき情報の送信は行なわず、前記所定条件として所定時間以内とすることを特徴とする。
【００１８】
また、請求項９記載の発明は、ＩＴＵ−Ｔ勧告に基づいたファクシミリ通信を実行することを特徴とする。また、請求項１０、１１、１２記載の発明は、インターネット標準プロトコルを使用したデータ通信を実行することを特徴とする。
【００２０】
【発明の実施の形態および実施例】
図１は、本発明の第１、第２実施例によるファクシミリ装置の構成を示すブロック図である。
【００２１】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００２２】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００２３】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００２４】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００２５】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００２６】
メモリ回路１８は、読取りデータの生情報、あるいは、符号化した情報を格納したり、また、受信情報、あるいは、復号化した情報等を格納するために使用する。
【００２７】
発呼回路２２は、信号線２０ｇに発呼命令パルスが発生した時に、信号線２０ｆに出力されている電話番号情報を入力し、この電話番号情報に対応する選択信号を信号線２ｂに出力するものである。
【００２８】
登録回路２４は、ワンタッチダイヤルや短縮ダイヤルの発呼先に対応して、インターネットを介して通信を行う宛先（ＩＰアドレス）と、公衆通信網を介して通信を行う宛先（電話番号）とを信号線２４ａを介して登録する回路である。
【００２９】
選択ボタン２６は、使用する通信網、具体的にはインターネットを介した通信、あるいは、公衆通信網を介した通信を選択するボタンであり、このボタン２６が押下されると、信号線２６ａに押下パルスが発生する。
【００３０】
表示回路２８は、使用する通信網を表示する回路であり、信号線２０ｈにクリアパルスが発生すると「公衆通信網を介した通信」と表示し、以後、信号線２６ａに押下パルスが発生する毎に、「インターネットを介した通信」→「公衆通信網を介した通信」→「インターネットを介した通信」と表示を繰り返す。
【００３１】
そして、「公衆通信網を介した通信」と表示している時には、信号線２８ａに信号レベル「０」の信号を出力し、「インターネットを介した通信」と表示している時には、信号線２８ａに信号レベル「１」の信号を出力する。
【００３２】
操作部３０は、ワンタッチダイヤル、短縮ダイヤル、テンキー、＊キー、＃キー、＠キー、・キー、回路２４への登録キー、セットキー、スタートキー、その他ファンクションキー等を有しており、押下されたキー情報は信号線３０ａに出力される。
【００３３】
信号線２０ｉはＬＡＮであり、このＬＡＮにＰＣ３２、ＰＣ３４、ＰＣ３６、ＰＣ３８、ＰＣ４０が接続され、これはプロバイダーに接続される。
【００３４】
制御回路２０は、本ファクシミリ装置全体を制御するものであり、特に本発明の第１実施例において以下のような制御を行う。
【００３５】
まず、１つの情報文の通信中に、送信機側でインターネットを介した通信と公衆通信網を介した通信とを切り替えて実行する処理を行う。また、受信機側で、インターネットを介した通信による受信情報と、公衆通信網を介した通信による受信情報とを、ともに受信終了後、これらの文章を結合してメモリに記憶する処理を行う。
【００３６】
また、選択ボタン２６による選択に基づいて、公衆通信網を介した通信、あるいは、インターネットを介した通信を選択し、同一情報文に対して、同一の文章番号を付加する処理を行う。
【００３７】
具体的には、まず、インターネットを介した通信を実行し、その後、公衆通信網を介した通信を実行する。あるいはこの逆に、まず、公衆通信網を介した通信を実行し、その後、インターネットを介した通信を実行してもよい。
【００３８】
ここで、送信機側では、送信情報を読取り時に、第１ページ、第２ページはインターネットを介した通信を選択し、第３ページは公衆通信網を介した通信を選択し、第４ページ、第５ページは、インターネットを介した通信を選択したとする。
【００３９】
このケースでの実際の送信は、まず、インターネットを介した通信を実行し、特定の文章番号（例えば１２３４）を付して、第１ページ、第２ページ、第４ページ、第５ページの送信情報を送信し、さらに、その旨を通知する。そして、この通信終了後、公衆通信網を介した通信を実行し、同じ文章番号（例えば１２３４）の第３ページの送信情報を送信する。
【００４０】
一方、受信機側において、公衆通信網を介した通信とインターネットを介した通信が１つの情報文を通信時にて実行された場合、文章番号（例えば１２３４）に基づいて連続した情報として記録媒体（記録紙）に出力する。
【００４１】
図２〜図１１は、以上のような本発明の第１実施例における制御回路２０の制御の流れを示すフローチャートである。
【００４２】
図２において、Ｓ０で動作を開始し、Ｓ２では信号線２０ｈにクリアパルスを発生し、使用する通信網を公衆通信網と表示回路２８に表示する。
【００４３】
Ｓ４では、文章番号に１をセットし、Ｓ６では、信号線２０ａに信号レベル「０」の信号を出力してＣＭＬをオフする。
【００４４】
Ｓ８では、信号線２０ｄに信号レベル「０」の信号を出力し、ＡＮＳａｍ信号を送信しない状態とする。
【００４５】
Ｓ１０では、信号線３０ａの情報を入力し、ワンタッチダイヤル、短縮ダイヤルに対応して、ＩＰアドレス、あるいは、電話番号の登録が選択されたか否かを判断し、選択されるとＳ１２に進み、信号線２４ａを介してワンタッチダイヤル、短縮ダイヤルに対応して、インターネットを介した通信のためのＩＰアドレス、公衆通信網を介した通信のための電話番号を入力し、これを登録回路２４に登録し、Ｓ１４に進む。また、選択されていないと、そのままＳ１４に進む。
【００４６】
Ｓ１４では、信号線３０ａの情報を入力し、ワンタッチダイヤル、あるいは、短縮ダイヤルが押下されたか否かを判断し、肯定応答であるとＳ２２に進み、否定応答であるとＳ１６に進む。
【００４７】
Ｓ１６では、公衆通信網、あるいは、インターネットからの着信があるか否かを判断し、着信があるとＳ９２に進み、着信がないとＳ１８に進み、その他の処理をする。
【００４８】
Ｓ２２では、ページカウンタに１をセットし、Ｓ２４では、信号線２８ａの情報を入力し、選択されている通信網をチェックし、公衆通信網が選択されているとＳ２６へ進み、ページカウンタに対応し、公衆通信網を介した通信と記憶し、インターネットが選択されているとＳ２８に進み、ページカウンタに対応し、インターネットを介した通信と記憶する。
【００４９】
次に、Ｓ３０では、送信情報を読取り符号化し、メモリ回路１８に格納する。そして、Ｓ３２では、１ページの読取が終了したか否かを判断し、終了するとＳ３４に進み、終了していないとＳ３０に進む。
【００５０】
Ｓ３４では、次ページの読取情報があるか否かを判断し、あるとＳ３６へ進み、ページカウンタの値を１つインクリメントしてＳ２４に進む。
【００５１】
また、ないとＳ３８に進み、今読み取った情報は、どちらか１つの通信網のみであるか否かを判断し、どちらか１つの通信網のみであるとＳ４０に進み、公衆通信網とインターネットの混在であるとＳ５８に進む。
【００５２】
Ｓ４０では、今読み取った情報は、全て公衆通信網を使用した通信であるか否かを判断し、全て公衆通信網を使用した通信であるとＳ４２に進み、全てインターネットを使用した通信であるとＳ５２に進む。
【００５３】
Ｓ４２は、発呼回路２２を使用し、指定された宛先に対応して登録回路２４に登録されている電話番号に公衆通信網を介して発呼する。Ｓ４４では、信号線２４ａに信号レベル「１」の信号を出力し、ＣＭＬをオンする。
【００５４】
次に、Ｓ４６では、前手順を行う。ここで、文章番号の通知、および、この文章は全て公衆通信網を介した通信のみで通信される旨を通知する。次に、Ｓ４８では、メモリ回路１８に格納した情報の通信を行い、Ｓ５０では、後手順を行う。この後、Ｓ２０で文章番号の値を１つインクリメントしてＳ６に進む。
【００５５】
また、Ｓ５２では、指定された宛先に対応し、登録回路２４に登録されているＩＰアドレスにインターネットを介して発呼する。次に、Ｓ５４では、ＴＣＰ−ＩＰプロトコルを実行し、Ｓ５６では、メモリ回路１８に格納した情報をＴＩＦＦフォーマットでＭＩＭＥにより送信する。ここで、文章番号の通知、および、この文章は全てインターネットを介した通信のみで通信される旨を通知する。この後、Ｓ２０で文章番号の値を１つインクリメントしてＳ６に進む。
【００５６】
また、Ｓ５８では、読取り情報の１ページ目を送信する通信網をチェックし、公衆通信網であるとＳ６４に進み、インターネットであるとＳ６０に進む。
【００５７】
Ｓ６０では、指定された宛先に対応して登録回路２４に登録されているＩＰアドレスにインターネットを介して発呼する。そして、Ｓ６２では、ＴＣＰ−ＩＰプロトコルを実行し、Ｓ８２に進む。
【００５８】
また、Ｓ６４では、発呼回路２２を使用し、指定されて宛先に対応して登録回路２４に登録されている電話番号に公衆通信網を介して発呼する。そして、Ｓ６６では、信号線２０ａに信号レベル「１」の信号を出力してＣＭＬをオンし、Ｓ６８では、前手順を行う。ここで、文章番号の通知、および、この文章はこの通信が終了後、インターネットを介した通信が実行され、１つの情報となる旨の通知、インターネットを介した通信も含めての合計のページ数と、今回の通信では、どのページを送信するかを通知する。例えば、合計５ページ送信し、第１ページが公衆通信網を介した通信と通知する。
【００５９】
次に、Ｓ７０では、メモリ回路１８に格納した情報の中で公衆通信網を介して送信する情報の送信を行う。例えば、第１ページの情報を送信する。この後、Ｓ７２では、後手順を行い、Ｓ７４では、信号線２０ａに信号レベル「０」の信号を出力してＣＭＬをオフする。
【００６０】
次に、Ｓ７６では、指定された宛先に対応して登録回路２４に登録されているＩＰアドレスにインターネットを介して発呼する。そして、Ｓ７８では、ＴＣＰ−ＩＰプロトコルを実行する。
【００６１】
次に、Ｓ８０では、メモリ回路１８に格納した情報の中でインターネットを介して送信する情報をＴＩＦＦフォーマットでＭＩＭＥで送信する。例えば、第２ページ、第３ページ、第４ページ、第５ページの情報を送信する。ここで、文章番号の通知、および、この文章は公衆通信網を介した通信の続きである旨、どのページの送信かを通知する。この後、Ｓ２０で文章番号の値を１つインクリメントしてＳ６に進む。
【００６２】
また、Ｓ８２では、メモリ回路１８に格納した情報の中でインターネットを介して送信する情報をＴＩＦＦフォーマットでＭＩＭＥで送信する。例えば、第１ページ、第２ページ、第４ページ、第５ページの情報を送信する。ここで、文章番号の通知、この文章はこの通信が終了後に公衆通信網を介した通信が実行され、１つの情報文となる旨の通知、インターネットを介した通信も含めての合計のページ数と今回の通信では、どのページを送信するかを通知する。例えば、合計５ページ送信し、第１ページ、第２ページ、第４ページ、第５ページがインターネットを介した通信と通知する。
【００６３】
次に、Ｓ８４では、信号線２０ａに信号レベル「１」の信号を出力し、ＣＭＬをオンする。次に、Ｓ８６では前手順を行う。ここで、文章番号の通知、この文章はインターネットを介した通信の続きである旨、どのページの送信かを通知する。
【００６４】
Ｓ８８では、メモリ回路１８に格納した情報の中で公衆通信網を介して送信する情報の送信を行う。例えば、第３ページの情報を送信する。この後、Ｓ９０で後手順を行い、Ｓ２０で文章番号の値を１つインクリメントしてＳ６に進む。
【００６５】
また、Ｓ９２では、公衆通信網からの着信であるか否かを判断し、公衆通信網からの着信であるとＳ９４に進み、インターネットからの着信であるとＳ１１０に進む。
【００６６】
Ｓ９４では、信号線２０ａに信号レベル「１」の信号を出力してＣＭＬをオンし、Ｓ９６では前手順を行う。ここで、文章番号を記憶し、続いてインターネットを介した通信があるか否かを記憶する。
【００６７】
次に、Ｓ９８では、画信号のメモリ受信を行う。ここで、ページ番号も合わせて記憶する。そして、Ｓ１００では後手順を行い、Ｓ１０２では、信号線２０ａに信号レベル「０」の信号を出力してＣＭＬをオフする。
【００６８】
次に、Ｓ１０４では、Ｓ９６で記憶した情報を入力し、続いて、インターネットを介した通信があるか否かを判断し、あるとＳ１０８に進み、ないとＳ１０６に進む。
【００６９】
Ｓ１０６では、同一文章番号でメモリ受信してある情報をページ順に記録する。この後、Ｓ２０で文章番号の値を１つインクリメントしてＳ６に進む。
【００７０】
また、Ｓ１０８では、インターネットからの着信があるか否かを判断し、あるとＳ１１４に進む。
【００７１】
また、Ｓ１１０では、ＴＣＰ−ＩＰプロトコルを実行し、Ｓ１１２では、ＴＩＦＦフォーマットでＭＩＭＥの情報を受信し、メモリ回路１８へ格納する。ここで、ページ番号も合わせて記憶する。また、文章番号、続いて、公衆通信網を介した通信があるか否かを記憶する。この後、Ｓ１２２に進む。
【００７２】
また、Ｓ１１４では、ＴＣＰ−ＩＰプロトコルを実行し、Ｓ１１６では、ＴＩＦＦフォーマットでＭＩＭＥの情報を受信し、メモリ回路１８へ格納する。ここで、ページ番号も合わせて記憶する。また、文章番号、続いて、公衆通信網を介した通信があるか否かを記憶する。
【００７３】
Ｓ１１８では、同一文章番号であるか否かを判断し、同一文章番号でないとＳ１２０に進み、その他の受信処理を行い、Ｓ１０８に進む。
【００７４】
また、同一文章番号であるとＳ１２２に進み、Ｓ１１２、あるいは、Ｓ１１６で記憶した情報を入力し、続いて公衆通信網を介した通信があるか否かを判断し、あるとＳ１２４に進み、ないとＳ１０６に進む。
【００７５】
Ｓ１２４では、公衆通信網からの着信があるか否かを判断し、あるとＳ１２６に進む。Ｓ１２６では、前手順を行う。ここで、文章番号の記憶、続いてインターネットを介した通信があるか否かを記憶する。
【００７６】
Ｓ１２８では、同一文章番号であるか否かを判断し、同一文章番号でないとＳ１３０に進み、その他の受信処理を行って、Ｓ１２４に進む。
【００７７】
また、同一文章番号であるとＳ１３２に進み、画信号のメモリ受信を行う。ここで、ページ番号も合わせて記憶する。そして、Ｓ１３４では後手順を行い、Ｓ１３６では、信号線２０ａに信号レベル「０」の信号を出力し、ＣＭＬをオフする。この後、Ｓ１０４に進む。
【００７８】
次に、本発明の第２実施例について説明する。
【００７９】
この第２実施例では、上記第１実施例において、公衆通信網を介した通信を実行した場合に、その通信の終了後にインターネットを介した通信の実行があるか否かを通知し、また、インターネットを介した通信を実行した場合に、その通信の終了後に公衆通信網を介した通信の実行があるか否かを通知するものである。ここで、例えば、５ページの伝送で、第１ページ、第２ページ、第４ページ、第５ページがインターネットを介した通信が選択されていて、第３ページが公衆通信網を介した通信が選択されているとする。この時、まず、インターネットのＩＰアドレスに接続し、第１ページ、第２ページの情報を送り、その後、公衆通信網の電話番号に発呼し、第３ページの情報を送り、その後、また、インターネットのＩＰアドレスに接続し、第４ページ、第５ページの情報を送る。
【００８０】
図１２〜図１４は、以上のような本発明の第２実施例における制御回路２０の制御のうち、上記第１実施例（図２〜図１１）と異なる部分の流れを示すフローチャートである。
【００８１】
図１２において、Ｓ１４０は、Ｓ３８のＮＯを表している。そして、Ｓ１４２では、ページカウンタに１をセットする。
【００８２】
Ｓ１４４では、ページカウントのページ情報は、どちらの通信網を使用することが選択されたか否かを判断し、公衆通信網が選択されているとＳ１６２に進む。また、インターネットが選択されているとＳ１４６に進み、上述したＳ６０、Ｓ６２と同一制御、すなわち指定された宛先に対応して登録回路２４に登録されているＩＰアドレスにインターネットを介して発呼し、ＴＣＰ−ＩＰプロトコルを実行する処理を実行し、Ｓ１４８に進む。
【００８３】
Ｓ１４８では、メモリ回路１８に格納したページカウンタのページ情報をＴＩＦＦフォーマットで、ＭＩＭＥで送信する。ここで、文章番号も通知する。そして、Ｓ１５０では、ページカウンタの値を１つインクリメントする。
【００８４】
次に、Ｓ１５２では、このページカウンタのページ情報はあるか否かを判断し、あるとＳ１５６に進み、ないとＳ１５４（Ｓ２０）に進む。
【００８５】
Ｓ１５６では、このページカウンタのページは、インターネットを介した通信が選択されているか否かを判断し、選択されているとＳ１４８に進み、選択されていないとＳ１５７に進む。
【００８６】
Ｓ１５７では、この文章について現在のページカウンタ以降に公衆通信網を介した通信があるか否かを判断し、あるとＳ１５８に進み、ないとＳ１９０に進む。
【００８７】
Ｓ１５８では、この文章は、この通信が終了後に公衆通信網を介した通信が実行される旨を通知する。Ｓ１６０では、信号線２０ａに信号レベル「１」の信号を出力してＣＭＬをオンする。Ｓ１６２では、上述したＳ６４、Ｓ６６と同一の制御、すなわち発呼回路２２を使用し、指定されて宛先に対応して登録回路２４に登録されている電話番号に公衆通信網を介して発呼し、信号線２０ａに信号レベル「１」の信号を出力してＣＭＬをオンする処理を実行する。
【００８８】
Ｓ１６４では、この文章には、現在のページカウンタ以降にインターネットを介した通信があるか否かを判断し、あるとＳ１６８に進み、ないとＳ１８８に進む。
【００８９】
Ｓ１６８では、前手順を行う。ここで、文章番号を通知するとともに、この文章は、この通信が終了後にインターネットを介した通信が実行される旨を通知する。
【００９０】
Ｓ１７０では、メモリ回路１８に格納したページカウンタのページ情報を送信し、Ｓ１７２では、ページカウンタの値を１つインクリメントする。
【００９１】
次に、Ｓ１７４では、このページカウンタのページにページ情報があるか否かを判断し、ないとＳ１７６に進み、後手順を実行して、Ｓ１７８で上記Ｓ２０に進む。
【００９２】
また、ページ情報があるとＳ１８０に進み、このページカウンタのページは公衆通信網を介した通信が選択されているか否かを判断し、肯定応答であるとＳ１８２に進み、中間手順を行ってＳ１７０に進む。また、否定応答であるとＳ１８４に進んで後手順を実行し、Ｓ１８６では、信号線２０ａに信号レベル「０」の信号を出力し、ＣＭＬをオフする。この後、Ｓ１４６に進む。
【００９３】
また、Ｓ１８８では、前手順を行う。ここで文章番号を通知するとともに、この文章は、この通信が終了後にインターネットを介した通信が実行されない旨を通知する。この後、Ｓ１７０に進む。
【００９４】
また、Ｓ１９０では、この文章は、この通信が終了後に公衆通信網を介した通信が実行されない旨を通知する。この後、Ｓ１９２でＳ２０に進む。
【００９５】
次に、本発明の第３実施例について説明する。
【００９６】
図１５は、本発明の第３〜第５実施例によるファクシミリ装置の構成を示すブロック図である。
【００９７】
ＮＣＵ（網制御装置）１０２は、電話網をデータ通信等に使用するために、その回線の端末に接続し、電話交換網の接続制御を行なったり、データ通信路への切換えを行なったり、ループの保持を行なうものである。また、ＮＣＵ１０２は、制御回路１２０からの信号レベル（信号線１２０ａ）が「０」であれば、電話回線１０２ａを電話機１０４側に接続し、信号レベルが「１」であれば、電話回線１０２ａをファクシミリ装置側に接続するものである。なお、通常状態では、電話回線１０２ａは、電話機１０４側に接続されている。
【００９８】
ハイブリッド回路１０６は、送信系の信号と受信系の信号とを分離し、加算回路１１２からの送信信号をＮＣＵ１０２経由で、電話回線１０２ａに送出し、相手側からの信号をＮＣＵ１０２経由で受取り、信号線１０６ａ経由で、変復調器１０８に送るものである。
【００９９】
変復調器１０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線１２０ｃにより、各伝送モードが指定される。この変復調器１０８は、信号線１２０ｂに出力されている信号を入力し、変調データを信号線１０８ａに出力し、信号線１０６ａに出力されている受信信号を入力し、復調データを信号線１０８ｂに出力する。
【０１００】
ＡＮＳａｍ送出回路１１０は、ＡＮＳａｍ信号を送出する回路であり、信号線１２０ｄに信号レベル「１」の信号が出力されている時には、信号線１１０ａにＡＮＳａｍ信号を送出し、信号線１２０ｄに信号レベル「０」の信号が出力されている時には、信号線１１０ａに何も信号を出力しない。
【０１０１】
加算回路１１２は、信号線１０８ａの情報と信号線１１０ａの情報とを入力し、加算した結果を信号線１１２ａに出力するものである。読取回路１１４は、原稿の画像を読取り、この読取り画像データを信号線１１４ａに出力するものである。記録回路１１６は、信号線１２０ｅに出力されている情報を順次１ライン毎に記録するものである。
【０１０２】
メモリ回路１１８は、読取りデータの生情報、あるいは、符号化した情報を格納したり、また、受信情報、あるいは、復号化した情報等を格納するために使用する。
【０１０３】
親展通信選択ボタン１２２は、親展通信を選択するためのボタンであり、このボタン１２２が押したされると、信号線１２２ａに押下パルスが発生する。
【０１０４】
親展通信表示ランプ１２４は、親展通信が選択されたことを表示するランプであり、信号線１２０ｆにクリアパルスが発生すると、親展通信表示ランプ１２４が消灯し、以後、信号線１２２ａに押下パルスが発生する毎に点灯→消灯→点灯を繰り返す。ここで、親展通信表示ランプが点灯している時には、信号線１２４ａに信号レベル「１」の信号を出力し、親展通信表示ランプが消灯している時には、信号線１２４ａに信号レベル「０」の信号を出力する。
【０１０５】
緊急通信選択ボタン１２６は、緊急通信を選択するためのボタンであり、このボタン１２６が押下されると信号線１２６ａに押下パルスが発生する。
【０１０６】
緊急通信選択ランプ１２８は、緊急通信が選択されたことを表示するランプであり、信号線１２０ｇにクリアパルスが発生すると、緊急通信表示ランプ１２８が消灯し、以後、信号線１２６ａに押下パルスが発生する毎に点灯→消灯→点灯を繰り返す。ここで、緊急通信表示ランプ１２８が点灯している時には、信号線１２８ａに信号レベル「１」の信号を出力し、緊急通信表示ランプ１２８が消灯している時には、信号線１２８ａに信号レベル「０」の信号を出力する。
【０１０７】
操作部１３０は、ワンタッチダイヤル、短縮ダイヤル、テンキー、＊・＃キー、スタートキー、回路１３２への登録キー、セットキー、その他のファンクションキー等を有しており、押下されたキー情報が信号線１３０ａに出力される。
【０１０８】
登録回路１３２は、発呼先に対応し、ＰＳＴＮを使用したＧ３通信を行う宛先とインターネットを使用したデータ通信を行う宛先を信号線１３２ａを介して登録する回路である。
【０１０９】
信号線１４０ａは、ＬＡＮを表わし、このＬＡＮには、ＰＣ１３４、ＰＣ１３６、ＰＣ１３８が接続され、インターネット１４４へ接続されている。また、前述した電話回線である信号線１０２ａは、ＰＳＴＮ１４２に接続されている。
【０１１０】
制御回路１２０は、特に本発明の第３実施例において、通信モードの設定に応じて、ＩＴＵ−Ｔ勧告Ｔ．３０に基づいたＧ３通信を実行するかインターネット標準プロトコルに基づいたデータ通信を実行するかを決定する処理を行う。また、ここで親展通信が選択されている時には、ＩＴＵ−Ｔ勧告Ｔ．３０に基づいたＧ３通信を実行し、親展通信が選択されていない時には、インターネット標準プロトコルに基づいたデータ通信を実行する処理を行う。
【０１１１】
図１６、図１７は、本発明の第３実施例における制御回路１２０の制御の流れを示すフローチャートである。
【０１１２】
図１６において、Ｓ２００で動作を開始する。そして、Ｓ２０２では、信号線１２０ｆにクリアパルスを発生し、親展通信表示ランプ１２４を消灯し、Ｓ２０４では、信号線１２０ｇにクリアパルスを発生し、緊急通信表示ランプ１２８を消灯する。
【０１１３】
Ｓ２０６では、信号線１２０ａに信号レベル「０」の信号を出力し、ＣＭＬをオフする。Ｓ２０８では、信号線１２０ｄに、信号レベル「０」の信号を出力し、ＡＮＳａｍ信号を送信しない。
【０１１４】
Ｓ２１０では、信号線１３０ａの信号を入力し、発呼先に対応してＰＳＴＮ、および、インターネットへの接続する宛先の登録が選択されたか否かを判断し、選択されるとＳ２１２に進み、選択されていないとＳ２１４に進む。
【０１１５】
Ｓ２１２では、信号線１３０ａの信号を入力し、ＰＳＴＮを使用してＧ３通信するアドレス、および、インターネットを使用してデータ通信するアドレスを、信号線１３２ａを介して発呼先に対応して回路１３２へ登録する。この後、Ｓ２１４に進む。
【０１１６】
Ｓ２１４では、信号線１３０ａの情報を入力し、発呼が選択されたか否かを判断し、発呼が選択されるとＳ２１８に進み、発呼が選択されていないとＳ２１６に進み、その他の処理を行って、Ｓ２０６に進む。
【０１１７】
Ｓ２１８では、信号線１２４ａの情報を入力し、親展通信が選択されているか否かを判断し、親展通信が選択されているとＳ２２０に進み、回路１３２に登録されているＰＳＴＮを介した宛先へ発呼し、親展通信が選択されていないと、Ｓ２３０に進み、回路１３２に登録されているインターネットを介した宛先へ接続する。
【０１１８】
Ｓ２２０では、信号線１３２ａを介して、今発呼の指定のあった宛先に対応してＰＳＴＮのＧ３通信を行うダイヤル番号を回路１３２より入力し、その宛先へダイヤルする。Ｓ２２２では、信号線１２０ａに信号レベル「１」の信号を出力し、ＣＭＬをオンする。
【０１１９】
次に、Ｓ２２４では、Ｖ．８、Ｖ．２１手順を実行し、Ｓ２２６では、Ｖ．２７ｔｅｒ、Ｖ．２９、Ｖ．１７、Ｖ．３４画伝送を行う。さらに、Ｓ２２８では、Ｖ．２１、Ｖ．３４手順を行い、Ｓ２０２に進む。
【０１２０】
また、Ｓ２３０では、信号線１３２ａを介して、今発呼の指定のあった宛先に対応し、インターネットを使用したデータ通信を行う宛先へ接続する。そして、Ｓ２３２は、ＴＣＰ／ＩＰプロトコルの実行を行い、Ｓ２３４では、ＳＭＴＰによりＴＩＦＦフォーマットにしたイメージデータを送信する。この後、Ｓ２０２に進む。
【０１２１】
次に、本発明の第４実施例について説明する。
【０１２２】
この第４実施例では、上記第３実施例において、親展通信の選択の代わりに緊急通信が選択されている時にＧ３通信を実行し、緊急通信が選択されていない時には、インターネット標準プロトコルに基づいたデータ通信を実行するものである。
【０１２３】
図１８は、この第４実施例における制御回路１２０の制御のうち、上記第３実施例（図１６、図１７）と異なる部分の流れを示すフローチャートである。
【０１２４】
まず、図１８において、Ｓ２５０はＳ２１４のＹＥＳを表わしている。そして、Ｓ２５２では、信号線１２８ａの情報を入力し、緊急通信が選択されているか否かを判断し、緊急通信が選択されているとＳ２５４（Ｓ２２０）に進み、緊急通信が選択されていないとＳ２５６（Ｓ２３０）に進む。
【０１２５】
次に、本発明の第５実施例について説明する。
【０１２６】
この第５実施例では、上記第３実施例において、親展通信あるいは緊急通信が選択されている時にはＧ３通信を実行し、親展通信、緊急通信がともに選択されていない時には、インターネット標準プロトコルに基づいたデータ通信を実行する。
【０１２７】
図１９は、この第５実施例における制御回路１２０の制御のうち、上記第３実施例（図１６、図１７）と異なる部分の流れを示すフローチャートである。
【０１２８】
まず、図１９において、Ｓ２４０はＳ２１８のＮＯを表わしている。そして、Ｓ２４２では、信号線１２８ａの情報を入力し、緊急通信が選択されているか否かを判断し、緊急通信が選択されているとＳ２４４（Ｓ２２０）に進み、緊急通信が選択されていないとＳ２４６（Ｓ２３０）に進む。
【０１２９】
次に、本発明の第６実施例について説明する。
【０１３０】
図２０は、本発明の第６、第７実施例によるファクシミリ装置の構成を示すブロック図である。
【０１３１】
ＮＣＵ（網制御装置）２０２は、電話網をデータ通信等に使用するために、その回線の端末に接続し、電話交換網の接続制御を行なったり、データ通信路への切換えを行なったり、ループの保持を行なうものである。また、ＮＣＵ２０２は、制御回路２２０からの信号レベル（信号線２２０ａ）が「０」であれば、電話回線２０２ａを電話機２０４側に接続し、信号レベルが「１」であれば、電話回線２０２ａをファクシミリ装置側に接続するものである。なお、通常状態では、電話回線２０２ａは、電話機２０４側に接続されている。
【０１３２】
ハイブリッド回路２０６は、送信系の信号と受信系の信号とを分離し、加算回路２１２からの送信信号をＮＣＵ２０２経由で、電話回線２０２ａに送出し、相手側からの信号をＮＣＵ２０２経由で受取り、信号線２０６ａ経由で、変復調器２０８に送るものである。
【０１３３】
変復調器２０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２２０ｃにより、各伝送モードが指定される。この変復調器２０８は、信号線２２０ｂに出力されている信号を入力し、変調データを信号線２０８ａに出力し、信号線２０６ａに出力されている受信信号を入力し、復調データを信号線２０８ｂに出力する。
【０１３４】
ＡＮＳａｍ送出回路２１０は、ＡＮＳａｍ信号を送出する回路であり、信号線２２０ｄに信号レベル「１」の信号が出力されている時には、信号線２１０ａにＡＮＳａｍ信号を送出し、信号線２２０ｄに信号レベル「０」の信号が出力されている時には、信号線２１０ａに何も信号を出力しない。
【０１３５】
加算回路２１２は、信号線２０８ａの情報と信号線２１０ａの情報とを入力し、加算した結果を信号線２１２ａに出力するものである。読取回路２１４は、原稿の画像を読取り、この読取り画像データを信号線２１４ａに出力するものである。記録回路２１６は、信号線２２０ｅに出力されている情報を順次１ライン毎に記録するものである。
【０１３６】
メモリ回路２１８は、読取りデータの生情報、あるいは、符号化した情報を格納したり、また、受信情報、あるいは、復号化した情報等を格納するために使用する。
【０１３７】
発呼回路２２２は、信号線２２０ｇに発呼発令パルスが発生した時、信号線２２０ｆに出力されている電話番号情報を入力し、信号線２０２ｂに選択信号を出力する。
【０１３８】
親展通信選択ボタン２２４は、親展通信を選択するボタンであり、このボタン２２４が押下されると、信号線２２４ａに押下パルスが発生する。
【０１３９】
親展通信表示ランプ２２６は、親展通信が選択されたことを表示するランプであり、信号線２２０ｈにクリアパルスが発生すると、親展通信表示ランプを消灯し、以後、信号線２２４ａに押下パルスが発生する毎に「点灯」→「消灯」→「点灯」を繰り返す。ここで、回路２２６は、親展通信表示ランプ２２４を消灯している時には信号線２２６ａに信号レベル「０」の信号を出力し、親展通信表示ランプ２２４を点灯している時には、信号線２２６ａに信号レベル「１」の信号を出力する。
【０１４０】
表示回路２２８は、信号線２２０ｉに出力されている情報を入力し、例えば「受信機のオペレータが不在のため送信しない旨のメッセージ」を出力する。
【０１４１】
また、信号線２２０ｊは、ＬＡＮを表わし、このＬＡＮには、ＰＣ２３０、ＰＣ２３２、ＰＣ２３４、ＰＣ２３６、ＰＣ２３８、ＰＣ２４０が接続され、インターネットへ接続されている。
【０１４２】
制御回路２２０は、本発明の第６実施例において、特定モード（親展通信）での送信が選択された時、まず送信すべき情報以外の情報を送信し、所定条件（所定時間以内）で相手受信機の確認信号を検出できれば、送信すべき情報の送信をし、所定条件（所定時間以内）で相手受信機の確認信号を検出できなければ、受信機のオペレータが不在のため、送信しない旨のメッセージを出力し、情報の送信をしないＩＴＵ−Ｔ勧告Ｇ３ファクシミリ通信を実行する。
【０１４３】
図２１〜図２４は、本発明の第６実施例における制御回路２２０の制御の流れを示すフローチャートである。
【０１４４】
図２１において、Ｓ３００で動作を開始し、Ｓ３０２では、信号線２２０ｉを介して表示回路２２８に表示しない状態とする。Ｓ３０４では、信号線２２０ｈにクリアパルスを発生し、親展通信表示ランプ２２６を消灯する。
【０１４５】
Ｓ３０６では、信号線２２０ａに信号レベル「０」の信号を出力し、ＣＭＬをオフする。Ｓ３０８では、信号線２２０ｄに信号レベル「０」の信号を出力し、ＡＮＳａｍ信号を送信しない。
【０１４６】
Ｓ３１０では、発呼が選択されたか否かを判断し、発呼が選択されるとＳ３１４に進み、発呼が選択されていないとＳ３１２に進み、その他の処理をして、Ｓ３０６に戻る。
【０１４７】
Ｓ３１４では、発呼回路２２２を使用し、指定された宛先へＰＳＴＮを使用して発呼する。Ｓ３１６では、信号線２２０ａに信号レベル「１」の信号を出力し、ＣＭＬをオンする。
【０１４８】
Ｓ３１８では、信号線２２６ａの情報を入力し、親展送信が選択されたか否かを判断し、親展送信が選択されるとＳ３２６に進み、親展送信が選択されていないとＳ３２０に進む。
【０１４９】
Ｓ３２０では、Ｖ．２１の前手順を行い、Ｓ３２２では、Ｇ３通信にて、指定された送信情報の送信を行う。Ｓ３２４では、Ｖ．２１の後手順を行い、Ｓ３０６に進む。
【０１５０】
また、Ｓ３２６では、Ｖ．２１の前手順を行う。ここで、受信機側のオペレータが受信情報をメモリから出力した場合に受領通知を要求する。Ｓ３２８では、Ｇ３通信において、「これから親展情報である重要情報をお送りします。しばらくお待ちください。この情報が３分以内に受信機側で、メモリから出力されないと重要情報は後日お送りします」のメッセージを送信する。
【０１５１】
この後、Ｓ３３０では、Ｖ．２１の後手順を行い、Ｓ３３２では、信号線２２０ａに信号レベル「０」の信号を出力し、ＣＭＬをオフする。
【０１５２】
Ｓ３３４では、タイマに５分をセットする。Ｓ３３６では、タイマがタイムオーバーしたか否かを判断し、タイムオーバーするとＳ３３８に進み、タイムオーバーしていないとＳ３４０に進む。
【０１５３】
Ｓ３３８では、信号線２２０ｉを介して「今送信しようとした親展情報である重要情報は受信機のオペレータが不在のため送信しない」旨のメッセージを表示回路２２８に表示する。この表示は、オペレータの何らかのキー操作で消す。この後、Ｓ３２６に進む。
【０１５４】
また、Ｓ３４０では、呼出信号を検出したか否かを判断し、呼出番号を検出するとＳ３４２に進み、呼出番号を検出していないとＳ３３６に進む。
【０１５５】
Ｓ３４２では、信号線２２０ａに信号レベル「１」の信号を出力し、ＣＭＬをオンする。
【０１５６】
Ｓ３４４では、今メッセージを送信した宛先から受領通知であるか否かを判断し、肯定応答であるとＳ３５８に進み、否定応答であるとＳ３４６に進む。
【０１５７】
Ｓ３４６では、Ｓ３３４のタイマをとめ、Ｓ３４８では、Ｖ．２１の前手順を行う。Ｓ３５０では、Ｇ３通信による画信号の受信、記録を行い、Ｓ３５２では、Ｖ．２１の後手順を行う。
【０１５８】
次に、Ｓ３５４では、信号線２２０ａに信号レベル「０」の信号を出力し、ＣＭＬをオフする。そして、Ｓ３５６では、Ｓ３４６でとめたタイマを再度スタートして、Ｓ３３６に進む。
【０１５９】
また、Ｓ３５８では、受信機から受信した受領通知を出力する。そして、Ｓ３６０では、信号線２２０ａに信号レベル「０」の信号を出力し、ＣＭＬをオフする。
【０１６０】
次に、Ｓ３６２では、１０秒ウェイトし、Ｓ３６４では、発呼回路２２２を用いて、Ｓ３１４にて発呼した指定された宛先へＰＳＴＮを使用して発呼する。さらに、Ｓ３６６では、信号線２２０ａに信号レベル「１」の信号を出力し、ＣＭＬをオンする。
【０１６１】
この後、Ｓ３６８では、Ｖ．２１の前手順を行う。ここで、親展通信である旨を相手機に通知する。Ｓ３７０では、Ｇ３通信にて指定された送信情報の送信を行う。そして、Ｓ３７２では、Ｖ．２１の後手順を実行し、Ｓ３０６に進む。
【０１６２】
次に、本発明の第７実施例について説明する。
【０１６３】
上記第６実施例においては、ＰＳＴＮを使用したＧ３ファクシミリ通信を用いたが、この第７実施例では、インターネット標準プロトコルを使用したデータ通信を用いる。
【０１６４】
図２５、図２６は、この第７実施例における制御回路２２０の制御のうち、上記第６実施例（図２１〜図２４）と異なる部分の流れを示すフローチャートである。
【０１６５】
まず、図２５において、Ｓ３８０はＳ３１０のＹＥＳを表わしている。そして、Ｓ３８２は、指定された宛先へインターネットを使用して接続する。この後、Ｓ３８４でＳ３１８に進む。
【０１６６】
また、Ｓ３８６はＳ３１８のＮＯを表わしている。そして、Ｓ３８８ではＴＣＰ／ＩＰプロトコルを実行する。次に、Ｓ３９０では、ＳＭＴＰにより指定された送信情報をＴＩＦＦフォーマットにしたイメージで送信し、Ｓ３９２でＳ３０６に進む。
【０１６７】
また、Ｓ３９４はＳ３１８のＹＥＳを表わしている。そして、Ｓ３９６では、ＴＣＰ／ＩＰプロトコルを実行する。ここで、相手端末が受信メールを開いた時に、その旨の通知を指示する。
【０１６８】
次に、Ｓ３９８では、ＳＭＴＰにより、「これから親展情報である重要情報をお送りします。しばらくお待ち下さい。この情報が３分以内に受信機側で開かれないと重要情報は後日お送りします」というメッセージをＴＩＦＦフォーマットにしたイメージデータで送信する。この後、Ｓ４００でＳ３３４に進む。
【０１６９】
次に、図２６において、Ｓ４０２はＳ３３６のＮＯを表わしている。そして、Ｓ４０４では、メールを受信したか否かを判断し、メールを受信すると、Ｓ４０８（Ｓ３４４）に進み、メールを受信していないと、Ｓ４０６（Ｓ３３６）に進む。
【０１７０】
また、Ｓ４１０はＳ３４６を表わしている。そして、Ｓ４１２では、ＴＣＰ／ＩＰプロトコルを実行し、Ｓ４１４では、ＳＭＴＰにより、ＴＩＦＦフォーマットにしたイメージデータを受信する。この後、Ｓ４１６でＳ３５６に進む。
【０１７１】
また、Ｓ４１８、Ｓ４２０では、上述したＳ３５８よりＳ３６２に進み、この間のＳ３６０の処理、すなわちＣＭＬをオフする処理を行わないことを表している。
【０１７２】
また、Ｓ４２２はＳ３６２を表わしている。そして、Ｓ４２４では、指定された宛先へインターネットを使用して接続する。次に、Ｓ４２６では、ＴＣＰ／ＩＰプロトコルを実行し、ここで、親展通信である旨を通知する。
【０１７３】
さらに、Ｓ４２８では、ＳＭＴＰにより、指定された送信情報をＴＩＦＦフォーマットにしたイメージデータで送信し、Ｓ４３０でＳ３０６に進む。
【０１７４】
また、Ｓ４３２、Ｓ４３４では、Ｓ３０４よりＳ３１０に進み、Ｓ３０６、Ｓ３０８の処理を行わないことを表わしている。
【０１７６】
【発明の効果】
また、請求項１、２記載の発明によれば、例えば１つの文章について、インターネットを介した通信、公衆通信網を介した通信、インターネットを介した通信と、２回以上の網を切り替えて伝送することも可能になり、ダイレクト送信も可能になる。
【０１７７】
また、請求項３、４、５記載の発明によれば、受信機側のオペレータは、使用した網を意識せずに１つの文章情報としてプリントアウトされたものを手にできるので、不都合なく、通信コストが安く、かつ、機密性に優れた通信が可能になる。
【０１７９】
また、本出願の第６の発明によれば、機密性を確保する要求の高い親展通信の場合には、通信の機密性、通信の確実性を優先してＧ３等に基づいたファクシミリ通信を行い、一方、機密性を確保する要求の低い親展通信でない場合には、インターネット標準プロトコルに基づいたデータ通信を行い、通信コストの低減を優先できる効果がある。
【０１８０】
また、本出願の第７の発明によれば、緊急性の高い通信の場合には、リアルタイムな通信を優先してＧ３等に基づく通信を行い、一方、緊急性の低い通信の場合には、インターネット標準プロトコルに基づいたデータ通信を行い、通信コストの低減を優先できる。
【０１８１】
また、請求項８記載の発明によれば、特定モードの送信情報は、相手受信機側のオペレータが、必ず、すぐに読んでくれることを確認した後に送信できるので、いつ受信機側のオペレータが読んでくれるかの心配もいらない。また、相手受信機のメモリに送信情報が残って機密性を確保できないこともなくなる。
【０１８２】
また、請求項９〜１２記載の発明によれば、Ｇ３等のファクシミリ通信、インターネット通信にそれぞれ適用することが可能となる。
【図面の簡単な説明】
【図１】本発明の第１、第２実施例を示すブロック図である。
【図２】本発明の第１実施例の動作を示すフローチャートである。
【図３】上記第１実施例の動作を示すフローチャートである。
【図４】上記第１実施例の動作を示すフローチャートである。
【図５】上記第１実施例の動作を示すフローチャートである。
【図６】上記第１実施例の動作を示すフローチャートである。
【図７】上記第１実施例の動作を示すフローチャートである。
【図８】上記第１実施例の動作を示すフローチャートである。
【図９】上記第１実施例の動作を示すフローチャートである。
【図１０】上記第１実施例の動作を示すフローチャートである。
【図１１】上記第１実施例の動作を示すフローチャートである。
【図１２】本発明の第２実施例の動作を示すフローチャートである。
【図１３】上記第２実施例の動作を示すフローチャートである。
【図１４】上記第２実施例の動作を示すフローチャートである。
【図１５】本発明の第３〜第５実施例を示すブロック図である。
【図１６】本発明の第３実施例の動作を示すフローチャートである。
【図１７】上記第３実施例の動作を示すフローチャートである。
【図１８】本発明の第４実施例の動作を示すフローチャートである。
【図１９】本発明の第５実施例の動作を示すフローチャートである。
【図２０】本発明の第６、第７実施例を示すブロック図である。
【図２１】本発明の第６実施例の動作を示すフローチャートである。
【図２２】上記第６実施例の動作を示すフローチャートである。
【図２３】上記第６実施例の動作を示すフローチャートである。
【図２４】上記第６実施例の動作を示すフローチャートである。
【図２５】本発明の第７実施例の動作を示すフローチャートである。
【図２６】上記第７実施例の動作を示すフローチャートである。
【符号の説明】
２、１０２、２０２…ＮＣＵ、
４、１０４、２０４…電話機、
６、１０６、２０６…ハイブリッド回路、
８、１０８、２０８…変復調器、
１０、１１０、２１０…ＡＮＳａｍ送出回路、
１２、１１２、２１２…加算回路、
１４、１１４、２１４…読取回路、
１６、１１６、２１６…記録回路、
１８、１１８、２１８…メモリ回路、
２０、１２０、２２０…制御回路、
２２、２２２…発呼回路、
２４、１３２…登録回路、
２６…選択ボタン、
２８、２２８…表示回路、
３０、１３０…操作部、
３２〜４０、１３４〜１３８、２３０〜２４０…ＰＣ、
１２２、２２４…親展通信選択ボタン、
１２４、２２６…親展通信表示ランプ、
１２６…緊急通信選択ボタン、
１２８…緊急通信表示ランプ、
１４２…ＰＳＴＮ、
１４４…インターネット。
【図１】
0003576731.tif 000002
【図２】
0003576731.tif 000003
【図３】
0003576731.tif 000004
【図４】
0003576731.tif 000005
【図５】
0003576731.tif 000006
【図６】
0003576731.tif 000007
【図７】
0003576731.tif 000008
【図８】
0003576731.tif 000009
【図９】
0003576731.tif 000010
【図１０】
0003576731.tif 000011
【図１１】
0003576731.tif 000012
【図１２】
0003576731.tif 000013
【図１３】
0003576731.tif 000014
【図１４】
0003576731.tif 000015
【図１５】
0003576731.tif 000016
【図１６】
0003576731.tif 000017
【図１７】
0003576731.tif 000018
【図１８】
0003576731.tif 000019
【図１９】
0003576731.tif 000020
【図２０】
0003576731.tif 000021
【図２１】
0003576731.tif 000022
【図２２】
0003576731.tif 000023
【図２３】
0003576731.tif 000024
【図２４】
0003576731.tif 000025
【図２５】
0003576731.tif 000026
【図２６】
0003576731.tif 000027